(57)【特許請求の範囲】
【請求項１】
外部に露出した撮影面を有するカメラ本体に対して取外し自在に装着して用いられ、前記撮影面への異物の付着を防止する異物付着防止装置であって、
前記撮影面を覆うカバー部材を持つカバーと、
前記カバー部材の外面に向けて流体を吹き付けるノズルと、
を有し、
前記カバーと前記ノズルとが一体に構成されており、
当該異物付着防止装置を前記カメラ本体へ取り付けるための取付け部材を有し、
前記カバーと前記ノズルとが、射出成形によって樹脂で一体に形成されており、
前記射出成形の際に前記ノズルの流路に形成される窓が、熱溶着、樹脂封入、および部品接着のいずれかで塞がれている、異物付着防止装置。
【請求項２】
前記樹脂が透明樹脂から成る、請求項１に記載の異物付着防止装置。
【請求項３】
前記カバー部材を除いて、前記透明樹脂の外壁面が光を遮断する材料から成る塗装材料で塗装されている、請求項２に記載の異物付着防止装置。
【請求項４】
前記カバー部材が、その周辺の樹脂より一段落として設けられている、請求項１乃至３のいずれか１項に記載の異物付着防止装置。
【請求項５】
前記カバー部材が曲面形状をしている、請求項４に記載の異物付着防止装置。
【請求項６】
前記カバー部材の一段落とした部分に面取り部が施されている、請求項５に記載の異物付着防止装置。
【請求項７】
前記カバーは、前記カバー部材の周囲に設けられて前記カメラ本体に装着される周辺部を備え、
前記異物付着防止装置は、前記カバーの前記周辺部の内壁と前記カメラ本体の外壁との間に装着されるＯリングを更に有する、請求項１乃至６のいずれか１項に記載の異物付着防止装置。
【請求項８】
前記カメラ本体は、前記ノズルへ前記流体を供給するための供給口を持つ供給管を備え、
前記ノズルは、前記流体が導入される導入口を持つ導入管を有し、
前記異物付着防止装置は、前記導入管の前記導入口と、前記供給管の前記供給口との間に取り付けられたガスケットを更に有する、請求項１乃至７のいずれか１項に記載の異物付着防止装置。
【請求項９】
前記カバー部材は、前記撮影面と対向する内面に反射防止膜が形成されている、請求項１乃至８のいずれか１項に記載の異物付着防止装置。
【請求項１０】
前記ノズルの先端のノズル出力径が絞られている、請求項１乃至９のいずれか１項に記載の異物付着防止装置。
【請求項１１】
前記カバー部材の外面には、撥水加工、親水加工のいずれかが施されている、請求項１乃至１０のいずれか１項に記載の異物付着防止装置。
【請求項１２】
前記流体が空気から成る、請求項１乃至１１のいずれか１項に記載の異物付着防止装置。
【請求項１３】
請求項１乃至１２のいずれか１項に記載の異物付着防止装置と、
該異物付着防止装置が装着されたカメラ本体と、
を有する、カメラ装置。
【発明の詳細な説明】
【技術分野】
【０００１】
本発明は異物付着防止装置に関し、特に、車両の外装部に取り付けられる車載カメラ等のカメラ装置（カメラ本体）のレンズ部（撮影面）に、雨滴、砂塵、泥などの異物が付着するのを防止するための装置に関する。
【背景技術】
【０００２】
バックモニタ用カメラである車載カメラは、例えば、車体のスポイラーの下部や、ナンバープレート周囲の凹部、バックドアの上部や平坦なバックドア表面等に設置される。また、例えば、アラウンドモニタ用カメラである車載カメラは、車体のドアミラー（サイドミラー）の底面にも取り付けられる。このような車載カメラは、車体の外部に設置されるので、防塵・防水性を保つことが必要となる。
【０００３】
特に、車載カメラのレンズ部（撮影面）に、雨滴や、砂塵、泥などの異物が付着してしまう。そこで、車載カメラのレンズ部（撮影面）に、洗浄液等の液体のような流体を吹き付けて異物を除去することが行われている。
【０００４】
例えば、特許文献１は、ハウジング及び該ハウジングに設けられたレンズ（撮影面の撮影窓部）を有するカメラ本体と、レンズ（撮影面の撮影窓部）に向けて洗浄液を供給するカメラ用ノズルとを備えた「ウォッシャノズル付き車載カメラ」を開示している。
【先行技術文献】
【特許文献】
【０００５】
【特許文献１】特開２０１２−１７５３５９号公報
【発明の概要】
【発明が解決しようとする課題】
【０００６】
上述した特許文献１には、次に述べるような問題がある。
【０００７】
特許文献１に開示されたウォッシャノズル付き車載カメラでは、カメラ本体の外形形状に合わせて、カメラ用ノズルの形状を設計しなければならない。特に、ノズルの吐出部（吐出口）の位置（角度）を、洗浄液等の液体がカメラ本体の撮影面の撮影窓部へ向けて適切に供給されるように、調整する必要がある。換言すれば、特許文献１に開示されたウォッシャノズル付き車載カメラは、汎用性に欠けるという問題がある。
【０００８】
また、特許文献１に開示されたウォッシャノズル付き車載カメラでは、外部に露出しているカメラ本体の撮影面の撮影窓部へ向けて、直接、洗浄液等の液体を吐出している。その為、液体の吐出後、カメラ本体の撮影面（撮影窓部）は、液体で濡れた状態となる。その結果、その濡れている撮影面（撮影窓部）に、ごみなどが再付着してしまうという問題がある。この問題を解決するためには、連続して液体を吐出し続けるか、或いは短い間隔を空けて常に液体を吐出する必要がある。しかしながら、それでは、洗浄液を頻繁に補充しなければならなくなるという、新たな問題が発生する。
【０００９】
したがって、本発明の目的は、カメラ本体の撮影面に、直接、異物が付着することを防止できる、汎用性の高い異物付着防止装置およびそれを備えたカメラ装置を提供することにある。
【００１０】
本発明の他の目的は、説明が進むにつれて明らかになるだろう。
【００１１】
尚、本発明の説明で示される上方、上端、上部、上面の文言は、本発明のカメラ装置（カメラ本体）における光軸Ｏ方向の被写体側を示し、下方、下端、下部、下面の文言は、本発明のカメラ装置（カメラ本体）における光軸Ｏ方向の撮像素子側を示すものである。
【課題を解決するための手段】
【００１２】
本発明の例示的な態様によれば、外部に露出した撮影面（２１１ａ）を有するカメラ本体（２０）に対して取外し自在に装着して用いられ、撮影面（２１１ａ）への異物の付着を防止する異物付着防止装置（３０）であって、撮影面（２１１ａ）を覆うカバー部材（３２２）を持つカバー（３２）と、カバー部材（３２２）の外面（３２２ｂ）に向けて流体を吹き付けるノズル（３４）と、を有し、上記カバー（３２）と上記ノズル（３４）とが一体に構成されており、当該異物付着防止装置（３０）をカメラ本体（２０）へ取り付けるための取付け部材（３６）を有し、上記カバー（３２）と上記ノズル（３４）とが射出成形によって樹脂で一体に形成されており、射出成形の際にノズル（３２）の流路に形成される窓（３４６ａ）が、熱溶着、樹脂封入、および部品接着のいずれかで塞がれている異物付着防止装置が得られる。
【００１３】
上記異物付着防止装置（３０）において、樹脂は、透明樹脂から成ることが好ましい。その場合、カバー部材（３２２）を除いて、透明樹脂の外壁面が光を遮断する材料から成る塗装材料（３０ａ）で塗装されていることが望ましい。また、カバー部材（３２２）が、その周辺の樹脂（３２４）より一段落として設けられていることが好ましい。その場合、カバー部材（３２２）は、曲面形状をしていることが望ましく、カバー部材（３２２）の一段落とした部分に面取り部（３２４４ａ）が施されていることが望ましい。
【００１４】
また、上記カバー（３２）は、カバー部材（３２２）の周囲に設けられてカメラ本体（２０）に装着される周辺部（３２４）を備えてよい。この場合、異物付着防止装置（３０）は、カバー（３２）の周辺部（３２４）の内壁とカメラ本体（２０）の外壁との間に装着されるＯリング（３８）を更に有することが望ましい。また、カメラ本体（２０）は、ノズル（３４）へ流体を供給するための供給口を持つ供給管（２６）を備え、ノズル（３４）は、流体が導入される導入口（３４２ａ）を持つ導入管（３４２）を有してよい。この場合、異物付着防止装置（３０）は、導入管（３４２）の導入口（３４２ａ）と、供給管（２６）の供給口との間に取り付けられたガスケット（３７）を更に有することが好ましい。さらに、カバー部材（３２２）は、撮影面（２１１ａ）と対向する内面に反射防止膜（３２２ａ）が形成されていることが好ましい。ノズル（３４）の先端のノズル出力径（Ｄｎｏ）が絞られていることが望ましい。さらに、カバー部材（３２２）の外面（３２２ｂ）には、撥水加工が施されていることが好ましい。上記流体は、空気から成ることが望ましい。
【００１５】
本発明の他の例示的な態様によれば、上記異物付着防止装置（３０）と、該異物付着防止装置（３０）が装着されたカメラ本体（２０）と、を有する、カメラ装置（１０）が得られる。
【００１６】
尚、上記括弧内の参照符号は、本発明の理解を容易にするために付したものであり、一例に過ぎず、本発明は、これらに限定されないのは勿論である。
【発明の効果】
【００１７】
本発明では、カメラ本体の撮影面に、直接、異物が付着することを防止できる、汎用性の高い異物付着防止装置およびそれを備えたカメラ装置を提供することができる。
【図面の簡単な説明】
【００１８】
【図１】本発明の一実施形態に係るカメラ装置の分解斜視図である。
【図２】図１に図示したカメラ装置の外観斜視図ある。
【図３】図２に図示したカメラ装置の正面図である。
【図４】図２に図示したカメラ装置の平面図である。
【図５】図２に図示したカメラ装置の右側面図である。
【図６】図２に図示したカメラ装置の底面図である。
【図７】図１に示したカメラ装置に使用される異物付着防止装置を底面側から見た斜視図である。
【図８】図７に示した異物付着防止装置の分解斜視図である。
【図９】図１の線IX-IXについての断面図である。
【図１０】図２に示したカメラ装置を車載カメラＶＣとして自動車ＡＭに取り付けた状態を示す図であって、（Ａ）は自動車ＡＭを後面側から見た斜視図であり、（Ｂ）は自動車ＡＭを前面側から見た正面図である。
【発明を実施するための形態】
【００１９】
図１乃至図９を参照して、本発明の一実施形態に係るカメラ装置１０およびそれに装着される異物付着防止装置３０の構造について説明する。図示のカメラ装置１０は、後述するように、車体後部にバックモニタ用カメラとして使用される車載カメラから成る。なお、カメラ装置１０は、車体のドアミラー（サイドミラー）の底面に取り付けられる、アラウンドモニタ用カメラとして使用される車載カメラであってもよい。
【００２０】
図１はカメラ装置１０の分解斜視図である。図２はカメラ装置１０の外観斜視図である。図３はカメラ装置１０の正面図である。図４はカメラ装置１０の平面図である。図５はカメラ装置１０の右側面図である。図６はカメラ装置１０の底面図である。
【００２１】
また、図７は異物付着防止装置３０を底面側から見た斜視図であり、図８はその異物付着防止装置３０の分解斜視図である。図９は図１の線IX-IXについて断面図である。
【００２２】
ここでは、図１乃至図９に示されるように、直交座標系（Ｘ，Ｙ，Ｚ）を使用している。図１乃至図９に図示した状態では、直交座標系（Ｘ，Ｙ，Ｚ）において、Ｘ軸方向は前後方向（奥行方向）であり、Ｙ軸方向は左右方向（幅方向）であり、Ｚ軸方向は上下方向（高さ方向）である。そして、図１乃至図９に示す例においては、上下方向Ｚがレンズの光軸Ｏ方向である。図示の例では、上下方向Ｚの上方向は被写体（図示せず）が存在する方向である。尚、本実施形態において、Ｙ軸方向（左右方向）は第１の方向とも呼ばれ、Ｘ軸方向（前後方向）は第２の方向とも呼ばれる。
【００２３】
図示のカメラ装置１０は、図１に示されるように、おおきく２つの構成要素から成る。すなわち、カメラ装置１０は、カメラ本体２０と、異物付着防止装置３０とから成る。
【００２４】
最初に、図１を参照して、カメラ本体２０の構成について説明する。カメラ本体２０は、レンズ群２１と、このレンズ群２１を保持する保持部材２２と、この保持部材２２の上端部に設けられたリテーナ２３と、保持部材２２の下端部に設けられた封止部材２４と、この封止部材２４から外部へ延出するケーブル２５とを有する。ここで、「封止」とは、開口を閉鎖することをいう。
【００２５】
レンズ群２１は複数のレンズから成る。図１では、レンズ群２１を構成する複数のレンズのうち、一番上側の上部レンズ２１１のみを図示している。図示のレンズ群２１において、複数のレンズの各々は、円形の外形形状を持つ。
【００２６】
保持部材２２は、上下方向Ｚに延在する実質的に四角筒形状をしている。保持部材２２は、その内部空間が、レンズ群２１を収容するレンズ収容空間と、基板ユニット（図示せず）を収容する基板収容空間とに分けられている。保持部材２２は、その上端部に、リテーナ２３を受けるためのリテーナ受け面（図示せず）を持つ。
【００２７】
リテーナ２３は、保持部材２２の内部に水が浸入するのを防止するための部材である。リテーナ２３は、保持部材２２の上端に取り付けられる。リテーナ２３は、上下方向Ｚに延在する実質的に四角筒状の外筒部２３２と、この外筒部２３２の上端で外筒部２３２から斜め上方にかつ内側へ突出するように設けられた、曲面リング形状の上端部２３４と、から成る。上端部２３４は、上記レンズ群２１の外形形状に合致した、実質的に円形の開口（図示せず）を持つ。
【００２８】
リテーナ２３の外筒部２３２は、保持部材２２のリテーナ受け面で受け止められる。レンズ群２１の一番上側の上部レンズ２１１の上面２１１ａは、リテーナ２３の上端部２３４の開口から露出している。すなわち、リテーナ２３は、上部レンズ２１１の上面２１１ａを露出させた状態で、上部レンズ２１１の外周縁を囲むように、保持部材２２の上端部に取り付けられている。
【００２９】
したがって、図示のカメラ本体２０は、上部レンズ２１１の上面２１１ａを、外部に露出した撮影面として有する。
【００３０】
尚、本実施形態では、外部に露出した撮影面が上部レンズ２１１の上面２１１ａから成るが、本発明はこれに限定されない。例えば、外部に露出した撮影面は、上記特許文献１のような撮影窓部であってもよい。
【００３１】
図示はしないが、基板ユニットは、センサ基板と電源基板とを含む。センサ基板上に撮像素子が搭載されている。撮像素子は、上記レンズ群２１により結像された被写体像を撮像して電気信号に変換する。撮像素子は、例えば、ＣＣＤ（charge coupled device）型イメージセンサや、ＣＭＯＳ（complementary metal oxide semiconductor）型イメージセンサ等から成る。センサ基板と電源基板とは、基板間コネクタを介して嵌合されている。電源基板に、上記ケーブル２５の先端部がはんだなどにより電気的に接続されている。
【００３２】
以上の説明から明らかなように、図示のカメラ本体２０は、実質的に四角柱の外形形状をしている。ここで、一般に市販されている車載カメラのようなカメラ装置は、図１に示されるカメラ本体２０の外形形状のように、実質的に四角柱の外形形状をしていることに注意されたい。すなわち、一般に市販されているカメラ装置は、その高さ寸法が異なる場合があるが、実質的に同じ縦寸法および横寸法を有していることに注意されたい。
【００３３】
保持部材２２と、リテーナ２３と、封止部材２４との組み合わせは、カメラ本体２０のハウジングとして働く。
【００３４】
図５に示されるように、カメラ本体２０は、後述する異物付着防止装置３０のノズル３４へ、流体を供給するための供給口を持つ供給管２６を更に有する。図示の例では、供給管２６は、保持部材２２の背面で上下方向Ｚに延在して設けられている。供給管２６は、左右方向（第１の方向）Ｙに幅広い矩形管から成る。図示の例では、流体は空気から成る。
【００３５】
供給管２６の下端部には、略円筒状の差込部２８が突出するように設けられている。差込部２８には、図示しないホースの一端が差し込まれる。ホースの他端には、図示しないポンプのような空気供給源が接続されている。尚、流体は、空気に限定されず、洗浄液等の液体であってもよい。
【００３６】
また、図１に示されるように、カメラ本体２０は、保持部材２２の左右方向（第１の方向）Ｙの両側面に、リテーナ２３に近接した位置で外側へ突出する一対の突起部（凸部）２７（但し、図１では、右側の突起部のみ図示する）を有する。この一対の突起部２７には、図２および図３に示されるように、後述する異物付着防止装置３０の一対の留め具３６の孔（凹部）３６ａが嵌めこまれる。したがって、カメラ本体２０の一対の突起部２７と、異物付着防止装置３０の留め具３６との組み合わせは、スナップフィットとして働く。このような構成を採用することにより、異物付着防止装置３０をカメラ本体２０に容易に取り付けることができる。換言すれば、異物付着防止装置３０のカメラ本体２０への取付け作業を向上させることができる。
【００３７】
なお、図示の実施形態では、スナップフィットを、カメラ本体２０側に凸部２７を設け、異物付着防止装置３０側に凹部３６ａを設けて構成しているが、逆であってもよい。即ち、スナップフィットを、カメラ本体２０側に凹部を設け、異物付着防止装置３０側に凸部を設けて構成してもよい。
【００３８】
このように、異物付着防止装置３０の留め具３６は、当該異物付着防止装置３０をカメラ本体２０へ取り付けるための取付け部材として働く。
【００３９】
次に、図１乃至図９を参照して、カメラ本体２０に装着される異物付着防止装置３０について説明する。
【００４０】
異物付着防止装置３０は、外部に露出した撮影面２１１ａを有するカメラ本体２０に装着して用いられる。異物付着防止装置３０は、撮影面２１１ａへ異物が付着するのを防止するための装置である。ここで、異物は、例えば、雨滴、虫、砂塵、泥等から成る。
【００４１】
異物付着防止装置３０は、撮影面２１１ａを覆うカバー部材３２２を持つカバー３２と、カバー部材３２２の外面３２２ｂに向けて流体を吹き付けるノズル３４と、を有する。前述したように、図示の例では、流体は空気から成る。ここで、カバー部材３２２の外面３２２ｂへ空気を連続的に吹き付けても良いし、或いは、車内に設置されたスイッチ（図示せず）を押したときに所定時間だけ、カバー部材３２２の外面３２２ｂへ空気を連続的に吹き付けるようにしても良い。
【００４２】
図示のカバー部材３２２は、図４に示されるように、平面視、円形形状をしており、薄い膜状に形成されている。したがって、カバー部材３２２は、カバー膜とも呼ばれる。カバー部材３２２の直径は、カメラ本体２０の上部レンズ２１１（撮影面２１１ａ）の直径より大きい。
【００４３】
カバー３２は、カバー部材３２２の半径方向外側に設けられた周辺部３２４を有する。周辺部３２４は、四角筒状の装着部３２４２と、上端保持部３２４４とから成る。四角筒状の装着部３２４２は、図７に示されるように、カメラ本体２０の保持部材２２の外形形状（寸法）と実質的に等しい寸法の略矩形開口３２４２ａを持ち、カメラ本体２０の保持部材２２に装着される。上端保持部３２４４は、この装着部３２４２とカバー部材３２２との間に設けられ、カバー部材〈カバー膜〉３２２を保持する。
【００４４】
一方、ノズル３４は、図８および図９に示されるように、供給管２６の供給口と実質的に同じ開口形状の導入口３４２ａを持つ導入管３４２と、導入管３４２の先端部に設けられた吐出部３４４とを有する。導入管３４２は、カメラ本体２０の保持部材２２の背面側で、上下方向Ｚに延在した矩形管から成る。一方、吐出部３４４は、導入管３４２の流路と連通して、前後方向Ｘに延在する３本の噴射孔３４４ａ（図１参照）を持つ。
【００４５】
異物付着防止装置３０は、図５、図７および図８に示されるように、導入管３４２の導入口３４２ａと、供給管２６の供給口との間に取り付けられたガスケット３７を備える。ガスケット３７は、例えば、両面テープ等を使用して、導入口３４２ａおよび供給口に取り付けられる。これにより、導入管３４２と供給管２６との間の気密性を確保している。
【００４６】
本例の異物付着防止装置３０では、カバー３２とノズル３４と一対の留め具３６とが一体に構成されている。具体的には、カバー３２とノズル３４と一対の留め具３６とが、射出成形によって樹脂で一体に形成されている。
【００４７】
図９に示されるように、射出成形の際に、ノズル３４の流路（本例の場合、吐出部３４４の３本の噴射孔３４４ａと導入管３４２との間を接続する流路）に３つの窓３４６ａ（但し、図９では、１つの窓３４６ａのみ図示している）が形成される。そして、射出成形の際に、これら３つの窓３４６ａに近接して、３つの樹脂片３４６も形成される。そこで、本例の異物付着防止装置３０では、３つの樹脂片３４６を熱溶着して、３つの窓３４６ａを塞いでいる。
【００４８】
尚、本例の異物付着防止装置３０では、３つの窓３４６ａを熱溶着で塞いでいるが、それ以外の方法で塞いでもよい。例えば、上記３つの樹脂片３４６を形成せずに、３つの窓３４６ａに樹脂を封入して塞いでも良いし、３つの窓３４６ａに３つの樹脂製部品のような部品を挿入した後に接着して塞いでもよい。
【００４９】
また、本例の異物付着防止装置３０では、異物付着防止装置３０を構成する樹脂は、透明樹脂から成る。そのような透明樹脂としては、例えば、アクリル樹脂や、ポリカーボネート樹脂などを使用することができる。
【００５０】
さらに、本例の異物付着防止装置３０では、カバー部材３２２を除いて、異物付着防止装置３０を構成する透明樹脂の外壁面を、光を遮断する材料から成る塗装材料３０ａで塗装している。これにより、カバー部材３２２以外から、光がカメラ本体２０の撮影面２１１ａに入射するのを防止することができる。その結果、カメラ本体２０の撮像素子で撮像された画像におけるゴーストやフレアを防止することができる。また、本例の異物付着防止装置３０では、カバー部材３２２には、カメラ本体２０の撮影面２１１ａと対向する内面に反射防止膜３２２ａが形成されている。これによっても、カメラ本体２０の撮像素子で撮像された画像におけるゴーストやフレアを防止することができる。
【００５１】
図９に示されるように、カバー部材３２２は、その周辺の上端保持部３２４４より一段落として設けられている。これにより、カバー部材３２２の外面３２２ｂに、虫、砂塵、泥などが付着するのを防止することができる。
【００５２】
また、図９に示されるように、図示のカバー部材３２２は、外側へ突出した曲面形状をしている。これにより、カメラ本体２０の視野（ＦＯＶ：field of view）又は画角（ＡＯＶ：angle of view）を確保している。さらに、本例の異物付着防止装置３０では、図９に示されるように、カバー部材３２２の一段落とした部分に面取り部３２４４ａが施されている。これによっても、カメラ本体２０の視野又は画角を確保している。
【００５３】
図７および図８に示されるように、異物付着防止装置３０は、カバー３２の周辺部３２４の内壁とカメラ本体２０の外壁との間に装着されるＯリング３８を更に有する。これにより、カメラ本体２０と異物付着防止装置３０のカバー３２との間の空間（隙間）を密閉することができる。その結果、カメラ本体２０とカバー３２との間の隙間に、水分が浸入するのを防止することができる。
【００５４】
また、本例の異物付着防止装置３０では、図９に示されるように、ノズル３４の先端（すなわち、吐出部３４４の３本の噴射孔３４４ａの先端）のノズル出力径Ｄｎｏが絞られている。このような構造を採用することにより、噴射孔３４４ａからカメラ本体２０の撮影面２１１ａへ向けて噴射する、空気の流速を増大することができるという効果を奏する。
【００５５】
この構造により、カバー部材３２２の外面３２２ｂに対する噴射孔３４４ａの先端の角度が浅いことから、噴射された流体はカバー部材３２２の外面３２２ｂの表面形状に沿って進行するコアンダ効果により、噴射孔３４４ａの反対側に位置する面取り部３２４４ａまで離間することなく到達する。換言すれば、噴射孔３４４ａを出た流体はカバー部材３２２の外面３２２ｂから消散してしまう離間成分が少なく、流体の大部分が異物除去に寄与するため、異物の除去効率が高い。
【００５６】
さらに、本例の異物付着防止装置３０では、カバー部材３２２の外面３２２ｂには、撥水加工が施されている。これにより、カバー部材３２２の外面３２２ｂに付着するだろう雨滴を効率的にはじくことが可能となる。
【００５７】
以上の説明から明らかなように、本発明の実施形態によれば、異物付着防止装置３０は、カメラ本体２０の撮影面２１１ａを覆うカバー３２を備えているので、撮影面２１１ａに、直接、異物が付着するのを防止することが可能となる。また、異物付着防止装置３０は、市販のカメラ装置に容易に装着することが可能な構成をしているので、汎用性を向上させることができる。また、流体として空気を使用した場合、流体として洗浄液のような液体を使用した場合と比較して、液体を補充するというような手間が省けたり、ごみが再付着するのを防ぐことが可能となる。
【００５８】
図１０は、カメラ装置１０を車載カメラＶＣとして自動車ＡＭに取り付けた状態を示す図である。図１０において、（Ａ）は自動車ＡＭを後面側から見た斜視図であり、（Ｂ）は自動車ＡＭを前面側から見た正面図である。
【００５９】
図１０（Ａ）に示されるように、カメラ装置１０は、自動車ＡＭの車体後部にバックモニタ用カメラＶＣとして取付け部材（図示せず）を使用して取り付けられる。
【００６０】
また、図１０（Ａ）および図１０（Ｂ）に示されるように、カメラ装置１０は、自動車ＡＭのドアミラー（サイドミラー）ＯＭの底面にアラウンドモニタ用カメラＶＣとして取付け部材（図示せず）を使用して取り付けられる。
【００６１】
また、図１０（Ａ）および図１０（Ｂ）に示されるように、カメラ装置１０が自動車ＡＭに取り付けられ、使用されている際に、もしカバー部材３２２の外面３２２ｂに飛び石等の接触により傷が付いた場合、異物付着防止装置３０のみを交換するだけで良く、カメラ本体２０を交換する必要が無い。
【００６２】
以上、実施の形態を参照して本発明を説明したが、本発明は上記実施の形態に限定されるものではない。本発明の構成や詳細には、本発明のスコープ内で当業者が理解し得る様々な変更をすることができる。
【００６３】
例えば、上述した実施形態に係る異物付着防止装置３０では、カバー３２とノズル３４とを一体に構成しているが、カバー３２とノズル３４とを別体で構成してもよい。また、上述した実施形態に係る異物付着防止装置３０では、カバー３２とノズル３４とを、射出成形によって樹脂で一体に形成しているが、製法はそれに限定されないのは勿論である。また、上述した実施形態に係る異物付着防止装置３０では、樹脂として透明樹脂を使用しているが、必ずしも異物付着防止装置３０の全部を一種類の透明樹脂で形成しなくてもよい。例えば、異物付着防止装置３０のうち、カバー部材（カバー膜）３２２のみを透明樹脂で形成し、それ以外の部分を不透明樹脂で形成してもよい。さらに、上述した実施形態に係る異物付着防止装置３０では、ノズル３４が３本の噴射孔３４４ａを備えているが、噴射孔の本数はこれに限定されない。例えば、噴射孔３４４ａは、１本のみであってもよく、２本でもよく、４本以上あってもよい。
【産業上の利用可能性】
【００６４】
本発明に係るカメラ装置は、車載カメラには限定されず、他の分野（例えば、野外において監視を必要とする監視（警備）分野など）に使用されるカメラとしても利用され得る。
【符号の説明】
【００６５】
１０    カメラ装置（車載カメラ）
２０    カメラ本体
２１    レンズ群
２１１    上部レンズ
２１１ａ    上面（撮影面）
２２    保持部材
２３    リテーナ
２３２    外筒部
２３４    上端部
２４    封止部材
２５    ケーブル
２６    供給管
２７    突起部（凸部）
２８    差込部
３０    異物付着防止装置
３０ａ    塗装材料
３２    カバー
３２２    カバー部材（カバー膜）
３２２ａ    反射防止膜
３２２ｂ    外面
３２４    周辺部
３２４２    装着部
３２４２ａ    略矩形開口
３２４４    上端保持部
３２４４ａ    面取り部
３４    ノズル
３４２    導入管
３４２ａ    導入口
３４４    吐出部
３４４ａ    噴射孔
３４６    樹脂片
３４６ａ    窓
３６    留め具（取付け部材）
３６ａ    孔（凹部）
３７    ガスケット
３８    Ｏリング
Ｄｎｏ    ノズル出力径
ＡＭ    自動車
ＯＭ    ドアミラー（サイドミラー）
ＶＣ    車載カメラ  
Ｏ    光軸
Ｘ    前後方向（第２の方向）
Ｙ    左右方向（第１の方向）
Ｚ    上下方向
【図１】
0006547948.tif 000002
【図２】
0006547948.tif 000003
【図３】
0006547948.tif 000004
【図４】
0006547948.tif 000005
【図５】
0006547948.tif 000006
【図６】
0006547948.tif 000007
【図７】
0006547948.tif 000008
【図８】
0006547948.tif 000009
【図９】
0006547948.tif 000010
【図１０】
0006547948.tif 000011